(57)【要約】【課題】ネットワークに接続された映像再生機器と音声再生機器での映像再生・音声再生の同期を図る。【解決手段】ネットワーク１１０を経てデジタルストリームデータの入力を受けるプロジェクター３００と音響装置４００は、個別に映像再生・音声再生を行うが、音響装置４００は、プロジェクター３００が有する画像形成投写部３０２での映像再生に適った映像再生用信号を、デジタルストリームデータに含まれる映像信号にその同期信号を含ませて生成した上で無線送信する。プロジェクター３００は、この映像再生用信号を無線信号形態で受信して復調し、その映像再生用信号に基づいて画像形成投写部３０２で映像を再生する。音響装置４００は、プロジェクター３００の側から送信される映像再生用信号の受領信号の入力を条件に、音声再生を行う。【選択図】図１
2008136027.tif 000002
【特許請求の範囲】
【請求項１】
映像再生デバイスを有する映像再生装置と、音声再生デバイスを有する音声再生装置と、映像信号と音声信号とを同期を取った上で含む映像音声コンテンツの送信元であるコンテンツ送信装置とをネットワークに接続し、前記コンテンツ送信装置から前記映像再生装置と前記音声再生装置に前記ネットワークを介して前記映像音声コンテンツを送信する映像音声再生システムであって、
前記音声再生装置と前記映像再生装置とは、
データの相互通信が可能な送受信部をそれぞれ備え、
前記音声再生装置と前記映像再生装置の一方の再生装置は、
前記ネットワークを経由して前記コンテンツ送信装置から前記映像音声コンテンツの入力を受けると、該入力された前記映像音声コンテンツに含まれる前記音声信号を前記音声再生デバイスでの音声再生のための処理に処して前記音声再生デバイスでの音声再生に適合した音声再生用信号を生成すると共に、前記入力を受けた前記映像音声コンテンツに含まれる前記映像信号を前記映像再生デバイスでの映像再生のための処理に処して前記映像再生デバイスでの映像再生に適合した映像再生用信号を生成する再生信号生成部と、
前記一方の再生装置が有する前記映像再生デバイスまたは前記音声再生デバイスの一方の再生デバイスに、該一方の再生デバイスでの再生用の前記音声再生用信号または前記映像再生用信号の一方の再生用信号を所定条件の成立と共に出力して、前記一方の再生デバイスでの前記一方の再生用信号に基づく映像または音声の再生を行う再生部と、
前記音声再生装置と前記映像再生装置の他方の再生装置に、該他方の再生装置が有する前記映像再生デバイスまたは前記音声再生デバイスの他方の再生デバイスでの再生用の前記音声再生用信号または前記映像再生用信号の他方の再生用信号と、前記入力された前記映像音声コンテンツに含まれる前記同期のための同期信号とを、前記送受信部を介して送信する送信部とを備え、
前記他方の再生装置は、
前記一方の再生装置の前記送信部により前記送受信部を経て送信された前記他方の再生用信号と前記同期信号とを前記他方の再生装置が有する前記送受信部にて受け取ると、信号受け取りの旨を示す受領信号を前記送受信部を介して前記一方の再生装置の前記送受信部に送信する受領信号送信部と、
前記一方の再生装置から前記受け取った前記他方の再生用信号を前記他方の再生装置が有する前記他方の再生デバイスに前記同期信号に基づいて出力して、前記他方の再生デバイスでの前記他方の再生用信号に基づく映像または音声の再生を行う再生部とを備え、
前記一方の再生装置の前記再生部は、
前記他方の再生装置の前記送信部により前記送受信部を経て送信された前記受領信号を受け取ると、前記所定条件が成立したとして、前記一方の再生用信号を前記一方の再生デバイスに出力して前記一方の再生用信号に基づく映像または音声の再生を行う
映像音声再生システム。
【請求項２】
請求項１に記載の映像音声再生システムであって、
前記一方の再生装置は、前記音声再生装置である
映像音声再生システム。
【請求項３】
請求項１または請求項２に記載の映像音声再生システムであって、
前記音声再生装置と前記映像再生装置のそれぞれ再生装置は、
それぞれの再生装置が有する前記再生デバイスでの映像または音声の再生状況を調整するためにユーザーが操作する再生調整部と、
該再生調整部によるユーザーの再生調整が映像と音声の同期再生に関与する再生調整である場合には、該再生調整の様子を示す再生調整制御信号を生成し、前記送受信部を経て前記再生調整制御信号を他方の再生装置の前記送信部に送信する再生調整信号送信部と、
前記再生調整部によるユーザーの再生調整操作がなされると、該操作に応じて前記再生デバイスでの映像または音声の再生調整を行う第１再生調整実行部と、
前記再生調整制御信号を前記他方の再生装置が有する前記再生調整信号送信部から前記送受信部を経て受け取ると、該受け取った前記再生調整制御信号に適った前記同期再生についての再生調整を行う第２再生調整実行部とを備える
映像音声再生システム。
【請求項４】
請求項３に記載の映像音声再生システムであって、
前記再生調整信号送信部は、
ユーザーによる前記再生調整部の操作により、一時停止を含む再生停止と、巻き戻しまたは早送りの少なくとも一方を含む再生調整のいずれかがなされると、前記同期再生に関与する再生調整であるとして、前記再生調整制御信号を他方の再生装置の前記送信部に送信する
映像音声再生システム。
【請求項５】
請求項２ないし請求項４いずれかに記載の映像音声再生システムであって、
前記他方の再生装置は前記映像再生装置であり、該映像再生装置は、
映像再生装置に付随する装置付随音声再生デバイスと、
前記ネットワークを経由して入力を受けた前記映像音声コンテンツに含まれる前記音声信号を前記装置付随音声再生デバイスでの音声再生のための処理に処して前記装置付随音声再生デバイスでの音声再生に適合した音声再生用信号を生成すると共に、前記入力を受けた前記映像音声コンテンツに含まれる前記映像信号を前記映像再生デバイスでの映像再生のための処理に処して前記映像再生デバイスでの映像再生に適合した映像再生用信号を生成し、前記生成後の音声再生用信号による前記装置付随音声再生デバイスでの音声再生と前記生成後の映像再生用信号による前記映像再生デバイスでの映像再生とを、前記映像音声コンテンツに含まれる前記同期信号に基づいて同期して実行する映像再生装置内同期部と、
前記音声再生装置が有する前記音声再生デバイスでの音声再生と前記装置付随音声再生デバイスでの音声再生の優先順位を所定の順位規定条件に基づいて判別し、前記音声再生装置が有する前記音声再生デバイスでの音声再生を優先させる際には、前記映像再生装置内同期部の作動を停止する映像再生装置内同期停止部とを備える
映像音声再生システム。
【請求項６】
請求項５に記載の映像音声再生システムであって、
前記映像再生装置内同期停止部は、
前記コンテンツ送信装置からの同一の前記映像音声コンテンツが前記映像再生装置と前記音声再生装置の両装置に送信されて前記音声再生装置での音声再生が実行されている時と、前記装置付随音声再生デバイスでの音声再生を停止するユーザー操作がある時の少なくともいずれかの時に、前記順位規定条件が成立したとして、前記音声再生装置が有する前記音声再生デバイスでの音声再生を優先させる
映像音声再生システム。
【請求項７】
ネットワークに接続されて該ネットワーク経由での信号受信が可能とされ、入力された映像信号により構成される映像を映像再生デバイスにて再生する映像再生装置であって、
映像信号と音声信号とを同期を取った上で含む映像音声コンテンツを前記ネットワークを介して入力し該映像音声コンテンツに含まれる音声信号を音声再生デバイスに適合した音声再生用信号に変換する処理を経て前記音声信号から前記音声再生用信号を生成する音声再生装置との間でデータの相互通信が可能な送受信部と、
前記音声再生装置が前記映像音声コンテンツに含まれる前記映像信号を前記映像再生デバイスに適合した映像再生用信号に変換する処理を経て前記映像信号から生成した前記映像再生用信号と、前記映像音声コンテンツに含まれる前記同期のための同期信号とを、前記音声再生装置の側から前記送受信部を経て入力する信号入力部と、
該信号入力部が前記映像再生用信号と前記同期信号とを入力すると、信号受け取りの旨を示す受領信号を、前記音声再生装置が前記音声再生用信号を前記音声再生デバイスに出力して前記音声再生デバイスでの前記音声再生用信号による音声再生を図る条件として、前記音声再生装置に前記送受信部を経て送信する信号送信部と、
前記信号入力部により前記音声再生装置の側から入力を受けた前記映像再生用信号を前記映像再生デバイスに前記同期信号に基づいて出力して、前記映像再生デバイスでの前記映像再生用信号に基づく映像の再生を行う再生部とを備える
映像再生装置。
【請求項８】
請求項７に記載の映像再生装置であって、
前記映像再生デバイスでの映像の再生状況を調整するためにユーザーが操作する再生調整部と、
該再生調整部によるユーザーの再生調整が映像と音声の同期再生に関与する再生調整である場合には、該再生調整の様子を示す再生調整制御信号を生成し、前記送受信部を経て前記再生調整制御信号を他方の再生装置の前記送信部に送信する再生調整信号送信部と、
前記再生調整部によるユーザーの再生調整操作がなされると、該操作に応じて前記再生デバイスでの映像または音声の再生調整を行う第１再生調整実行部と、
前記音声再生装置の側において前記同期再生に関与する再生調整が行われて該再生調整の様子を示す再生調整制御信号が前記音声装置の側から前記送受信部を経て入力されると、該入力した前記音声再生装置の側での前記再生調整制御信号に適った前記同期再生についての再生調整を行う第２再生調整実行部とを備える
映像再生装置。
【請求項９】
請求項７または請求項８に記載の映像再生装置であって、
映像再生装置に付随する装置付随音声再生デバイスと、
前記入力を受けた前記映像音声コンテンツに含まれる前記音声信号を前記装置付随音声再生デバイスに適合した音声再生用信号に変換する処理を経て前記音声信号から前記音声再生用信号を生成しつつ、前記入力を受けた前記映像音声コンテンツに含まれる前記映像信号を前記映像再生デバイスに適合した映像再生用信号に変換する処理を経て前記映像信号から前記映像再生用信号を生成し、前記生成した前記音声再生用信号による前記装置付随音声再生デバイスでの音声再生と前記映像再生用信号による前記映像再生デバイスでの映像再生とを、前記映像音声コンテンツに含まれる前記同期のための同期信号に基づいて同期して実行する映像再生装置内同期部と、
前記音声再生装置が有する前記音声再生デバイスでの音声再生と前記装置付随音声再生デバイスでの音声再生の優先順位を所定の順位規定条件に基づいて判別し、前記音声再生装置が有する前記音声再生デバイスでの音声再生を優先させる際には、前記映像再生装置内同期部の作動を停止する映像再生装置内同期停止部とを備える
映像再生装置。
【発明の詳細な説明】
【技術分野】
【０００１】
本発明は、映像再生デバイスを有する映像再生装置と音声再生デバイスを有する音声再生装置と映像音声コンテンツのコンテンツ送信装置とをネットワークに接続して備える映像音声再生システムと、ネットワークに接続されて該ネットワーク経由で入力された映像信号に基づいて映像を再生する映像再生装置に関する。
【背景技術】
【０００２】
近年になり、デジタル対応のＡＶ（Audio Visual）機器、例えば、大型テレビやプロジェクター、ＤＶＤ（Digital Versatile Disk）プレーヤ、ＣＤ（Compact Disc）プレーヤ、5.1chサラウンド音声再生装置等が普及しつつある。これら機器のうち、映像と音声の再生を行う大型テレビやプロジェクターでは、映像信号と音声信号とを同期を取った上で含む映像音声コンテンツを映像・音声再生用の信号として扱っている。この音声映像コンテンツとしては、例えばＭＰＥＧ２（Moving Picture Experts Group phase 2）があり、このＭＰＥＧ２では、映像信号と音声信号はＭＰＥＧ規格で圧縮された上で、両信号の同期が取られている。大型テレビやプロジェクターは、このＭＰＥＧ２データを、これら装置が内蔵するＤＶＤプレーヤ或いは装置付属の外部端子を経て接続されたＤＶＤプレーヤから受け取り、その映像音声コンテンツ（ＭＰＥＧ２）に含まれる映像信号と音声信号をそれぞれの再生のための信号処理に処し、映像の再生および音声の再生を行っている。この関係は、いわゆるデジタルテレビ放送における送信・受信再生においても同様である。
【０００３】
ところで、このように映像信号と音声信号をそれぞれの再生のための信号処理に処す場合、映像信号処理と音声信号処理の処理速度の差により、映像再生と音声再生とにズレが起きる。よって、映像再生と音声再生との同期を取る対処技術が提案されており（例えば、特許文献１）、こうした同期対処により、看者の違和感を軽減させていた。この特許文献では、大型テレビやプロジェクターといった映像・音声の再生が可能なＡＶ機器（映像音声再生機器）における映像再生と音声再生との同期対処や、この映像音声再生機器での映像再生と当該機器に音声送信ケーブル（光デジタルケーブル）を介して直接接続した音声再生装置での音声再生との同期対処が提案されている。この同期対処として、映像音声再生機器が備えるスピーカーへの音声信号出力遅延や、この映像音声再生機器が備える音声送信ケーブル出力端子への音声信号出力遅延が行われている。
【０００４】
【特許文献１】特開２００５−１８４５６３号公報
【０００５】
その一方、複数のＡＶ機器をネットワークを介して接続し、大型テレビやプロジェクターでは映像再生を行い、この大型テレビやプロジェクターとは別体の装置である音声再生機器、例えば、5.1chサラウンド音声再生装置では音声再生を行うようなことが望まれつつある。つまり、家庭のリビングをあたかもミニシアターであるかのように装い、大型テレビやプロジェクターで映像を見つめつつ、5.1chサラウンド音声再生装置から音声を聞くようなユーザーの要望が高まりつつある。
【発明の開示】
【発明が解決しようとする課題】
【０００６】
しかしながら、このように映像再生機器と音声再生機器とをネットワークで接続した場合には、上記特許文献で提案された同期対処をそのまま適用できないという問題が、以下に説明するように指摘されるに到った。
【０００７】
映像再生機器と音声再生機器とは、ネットワークを経由して同一の映像音声コンテンツ（ＭＰＥＧ２）をそれぞれ受け取り、映像再生装置は独自にコンテンツに含まれる映像信号を処理して映像再生を行い、音声再生装置にあっても独自に音声信号を処理して音声再生を行う。つまり、映像再生機器と音声再生機器とは共にネットワークに接続されているものの、映像再生機器と音声再生機器は別個の装置であるために、上記特許文献で提案されたような同期対処（音声信号出力遅延）をそのまま適用できない。
【０００８】
また、映像再生機器と音声再生機器への映像音声コンテンツ（ＭＰＥＧ２）の送信はネットワーク経由であることから、ネットワークにおけるデータの送信状況等によっては、ネットワーク経由での映像再生機器への映像音声コンテンツ送信時間と、ネットワーク経由での音声再生機器への映像音声コンテンツ送信時間とがそれぞれ相違したり、上記の両送信時間の差も定常となるものではないことが予想される。つまり、ネットワークを経て映像再生機器と音声再生機器とにデータ送信を行うというネットワーク特有の事情から、上記特許文献で提案されたような同期対処（音声信号出力遅延）をそのまま適用できない。
【０００９】
なお、上記の特許文献では、映像音声再生機器に音声送信ケーブル（光デジタルケーブル）を介して直接接続した音声再生機器に対して、映像音声再生機器の側で生成した音声再生用の信号を映像音声再生機器の側から一方的に出力（遅延出力）している。つまり、個別装置たる映像音声再生機器と音声再生機器とで映像再生と音声再生を個別に図る際、音声再生装置にその音声再生用の信号を遅延出力している映像音声再生機器では、音声再生機器の側での音声再生の状況に拘わらず映像再生を行うに過ぎないので、個別装置たる映像音声再生機器と音声再生機器での同期を取った映像再生と音声再生の信頼性は高いとは云えなかった。
【００１０】
本発明の目的は、上記した従来技術の問題点を解決し、ネットワークに接続された映像再生機器と音声再生機器とで映像再生・音声再生を行う際における映像再生と音声再生の同期の信頼性を高めることをその目的とする。
【課題を解決するための手段】
【００１１】
上記した目的の少なくとも一部を達成するために、本発明の映像音声再生システムでは、映像信号と音声信号とを同期を取った上で含む映像音声コンテンツをコンテンツ送信装置からネットワークを経由して映像再生装置と音声再生装置とに送信する。この音声再生装置と前記映像再生装置とは、データの相互通信が可能な送受信部をそれぞれ備え、前記音声再生装置と前記映像再生装置の一方の再生装置と他方の再生装置は次のように構成されている。なお、以下の説明に当たっては、説明の便宜上、一方の再生装置を音声再生装置とし、他方の再生装置を映像再生装置として説明する。
【００１２】
前記音声再生装置と前記映像再生装置の一方の再生装置たる音声再生装置は、再生信号生成部と再生部と送信部を備え、再生信号生成部により、前記ネットワークを経由して前記コンテンツ送信装置から入力された前記映像音声コンテンツに含まれる前記音声信号を前記音声再生デバイスでの音声再生のための処理に処して前記音声再生デバイスでの音声再生に適合した音声再生用信号を生成すると共に、前記入力を受けた前記映像音声コンテンツに含まれる前記映像信号を前記映像再生デバイスでの映像再生のための処理に処して前記映像再生デバイスでの映像再生に適合した映像再生用信号を生成する。こうして生成された音声再生用信号（一方の再生用信号）は、音声再生装置が有する再生部により、音声再生装置の音声再生デバイス（一方の再生デバイス）に、所定条件の成立と共に出力されるので、音声再生装置は、その音声再生デバイスでの音声再生用信号（一方の再生用信号）に基づく音声の再生を行う。つまり、音声再生装置の音声再生デバイスでの音声再生は、所定条件の成立を待って行われる。こうした信号生成・音声再生を行う音声再生装置は、他方の再生装置たる映像再生装置に、その映像再生装置が有する前記映像再生デバイス（他方の再生デバイス）での再生用の前記映像再生用信号（他方の再生用信号）と、前記入力された前記映像音声コンテンツに含まれる前記同期のための同期信号とを、送信部により前記送受信部を介して送信する。
【００１３】
他方の再生装置たる映像再生装置は、受領信号送信部と再生部を備え、音声再生装置（一方の再生装置）の前記送信部により前記送受信部を経て送信された映像再生用信号（他方の再生用信号）と前記同期信号とを映像再生装置（他方の再生装置）の前記送受信部にて受け取ると、受領信号送信部により、信号受け取りの旨を示す受領信号を前記送受信部を介して音声再生装置（一方の再生装置）の前記送受信部に送信する。また、音声再生装置（一方の再生装置）から受け取った映像再生用信号（他方の再生用信号）を、再生部により、映像再生装置（他方の再生装置）が有する映像再生デバイス（他方の再生デバイス）に前記同期信号に基づいて出力して、映像再生デバイス（他方の再生デバイス）での映像再生用信号（他方の再生用信号）に基づく映像の再生を行う。
【００１４】
そして、映像再生装置（他方の再生装置）が有する映像再生デバイス（他方の再生デバイス）に再生用の映像再生用信号（他方の再生用信号）を同期信号と共に送信した音声再生装置（一方の再生装置）は、映像再生装置（他方の再生装置）の前記送信部により前記送受信部を経て送信された前記受領信号を受け取ると、前記所定条件が成立したとして、再生部により、音声再生用信号（一方の再生用信号）を音声再生デバイス（一方の再生デバイス）に出力してこの音声再生用信号（一方の再生用信号）に基づく音声の再生を行う。
【００１５】
このように音声再生と映像再生とは、前者が音声再生装置（一方の再生装置）にて後者が映像再生装置（他方の再生装置）にて行われるが、音声再生装置（一方の再生装置）が音声再生デバイス（一方の再生デバイス）での音声再生を行うに当たっては、音声再生装置（一方の再生装置）から映像再生装置（他方の再生装置）に送信した映像再生用信号（他方の再生用信号）と同期信号を映像再生装置（他方の再生装置）が受領したことを持ってして、音声再生装置（一方の再生装置）での音声再生と映像再生装置（他方の再生装置）での映像再生とが、共に共通の同期信号に基づいて実行される。よって、ネットワークに接続された音声再生装置と映像再生装置とで音声再生と映像再生とを個別に行うものの、映像再生と音声再生の同期の信頼性を高めることができ、高い信頼性に基づく映像・音声再生の同期により、映像を見つつ音声を聞く看者に、音声再生と映像再生のズレに基づく違和感を軽減できる。そして、このような音声再生と映像再生の同期は、別々の機器として独立していている音声再生装置と映像再生装置およびコンテンツ送信装置を個別にネットワークに接続した上で、コンテンツ送信装置から映像音声コンテンツをネットワークを介して送信するだけで達成でき、簡便である。
【００１６】
この場合、一方の再生装置を音声再生装置とし他方の再生装置を映像再生装置としたが、この逆とすることもできる。そして、一方の再生装置を音声再生装置とし他方の再生装置を映像再生装置とすれば、映像再生装置は、その有する映像再生デバイスでの映像再生に適った映像再生用信号を受け取るので、その映像再生用信号に基づいた速やかな映像再生を行うことができる。
【００１７】
上記の本発明の映像音声再生システムにおいて、前記音声再生装置と前記映像再生装置のそれぞれ再生装置は、それぞれの再生装置が有する前記再生デバイスでの映像または音声の再生状況を調整するためにユーザーが操作する再生調整部と、該再生調整部によるユーザーの再生調整が映像と音声の同期再生に関与する再生調整である場合には、該再生調整の様子を示す再生調整制御信号を生成し、前記送受信部を経て前記再生調整制御信号を他方の再生装置の前記送信部に送信する再生調整信号送信部と、前記再生調整部によるユーザーの再生調整操作がなされると、該操作に応じて前記再生デバイスでの映像または音声の再生調整を行う第１再生調整実行部と、前記再生調整制御信号を前記他方の再生装置が有する前記再生調整信号送信部から前記送受信部を経て受け取ると、該受け取った前記再生調整制御信号に適った前記同期再生についての再生調整を行う第２再生調整実行部とを備えるようにすることもできる。
【００１８】
こうすれば、例えば、映像再生を行っている映像再生装置において、ユーザーが映像・音声の同期再生に関与する調整、例えば映像の一時停止や再生停止、或いは巻き戻しまたは早送りの少なくとも一方を含む再生調整のいずれかがなされると、これら操作の対象となっている映像再生装置では映像再生の停止、再生状況調整が行われる一方、音声再生を行っている音声再生装置においても、ユーザー操作に応じた再生調整を行うことができる。よって、ネットワークに接続された個別の音声再生装置と映像再生装置とを、あたかも一台の映像・再生装置として取り扱うことができ、ユーザーフレンドリーとなる。
【００１９】
また、一方の再生装置を音声再生装置とし他方の再生装置を映像再生装置とした上での映像再生装置を、映像再生装置に付随する装置付随音声再生デバイスを備えるものとし、当該映像再生装置における映像再生デバイスと装置付随音声再生デバイスでの映像・音声再生のため、前記ネットワークを経由して入力を受けた前記映像音声コンテンツに含まれる前記音声信号を前記装置付随音声再生デバイスでの音声再生のための処理に処して前記装置付随音声再生デバイスでの音声再生に適合した音声再生用信号を生成すると共に、前記入力を受けた前記映像音声コンテンツに含まれる前記映像信号を前記映像再生デバイスでの映像再生のための処理に処して前記映像再生デバイスでの映像再生に適合した映像再生用信号を生成し、前記生成後の音声再生用信号による前記装置付随音声再生デバイスでの音声再生と前記生成後の映像再生用信号による前記映像再生デバイスでの映像再生とを、前記映像音声コンテンツに含まれる前記同期信号に基づいて同期して実行する映像再生装置内同期部と、前記音声再生装置が有する前記音声再生デバイスでの音声再生と前記装置付随音声再生デバイスでの音声再生の優先順位を所定の順位規定条件に基づいて判別し、前記音声再生装置が有する前記音声再生デバイスでの音声再生を優先させる際には、前記映像再生装置内同期部の作動を停止する映像再生装置内同期停止部とを備えるようにすることもできる。
【００２０】
こうすれば、既述したように音声再生装置の側から受け取った映像再生用信号に基づいた映像再生装置の側での映像再生の同期実行に加え、映像再生装置だけを用いて映像再生と音声再生を同期を取って実行できる。
【００２１】
この場合、前記コンテンツ送信装置からの同一の前記映像音声コンテンツが前記映像再生装置と前記音声再生装置の両装置に送信されて前記音声再生装置での音声再生が実行されている時と、前記装置付随音声再生デバイスでの音声再生を停止するユーザー操作がある時の少なくともいずれかの時は、音声再生装置での音声再生が実際に行われている、或いはユーザーは音声再生装置での音声再生を欲していると云える。よって、こうした時には、音声再生装置での音声再生を優先させる順位規定条件が成立したとして、前記音声再生装置が有する前記音声再生デバイスでの音声再生を行う。
【００２２】
上記した本発明による映像・音声再生は、音声再生装置と映像再生装置およびコンテンツ送信装置を個別にネットワークに接続して既に備える映像音声再生システムとしての他、ネットワークに接続されて該ネットワーク経由での信号受信が可能とされた映像再生装置としても適用できる。つまり、こうした映像再生装置を、音声再生装置とコンテンツ送信装置が既に接続されたネットワークに接続することで、音声再生装置での音声再生と映像再生装置での映像再生とを同期を取った上で実行できる。
【発明を実施するための最良の形態】
【００２３】
以下、本発明の実施の形態を実施例に基づいて説明する。図１は本発明の実施例としての映像音声再生システム１００の構成を概略的に示すブロック図である。図示するように、映像音声再生システム１００は、コンテンツ送信装置２００とプロジェクター３００と音響装置４００とをネットワーク１１０に接続して備え、コンテンツ送信装置２００からプロジェクター３００と音響装置４００にネットワーク１１０を介してデジタルストリームデータを送信する。このデジタルストリームデータは、ＭＰＥＧ２規格のデジタル化された映像信号と音声信号とを同期を取った上で含む映像音声コンテンツ（ＭＰＥＧ−ＴＳ（Motion Picture Expert Group - Transport Stream））であり、プロジェクター３００は、その有する画像形成投写部３０２にてＭＰＥＧ２データの映像データにより構成される映像を再生してスクリーンＳに投写し、音響装置４００は、その有するスピーカ４０２にてＭＰＥＧ２データの音声データにより構成される音声を再生する。映像音声再生システム１００は、この他、デジタル放送受信装置４５０やＤＶＤプレーヤ４６０、ＣＤプレーヤ４７０をもネットワーク１１０に接続して備える。
【００２４】
コンテンツ送信装置２００は、内蔵のハードディスク２０２と外付けのハードディスク２０４とコンテンツ送信制御部２０６とネットワークドライバ２０８とを備える。そして、このコンテンツ送信装置２００は、ハードディスク２０２やハードディスク２０４等にデジタル放送受信装置４５０やＤＶＤプレーヤ４６０の提供するデジタルストリームデータを記憶し、その記憶したデジタルストリームデータを、コンテンツ送信制御部２０６によりネットワークドライバ２０８を経てネットワーク１１０に送信する。この際のデジタルストリームデータ送信は、図示しないユーザー操作機器（例えば、マウスやキーボード）の操作指示を受けて実行され、コンテンツ送信制御部２０６は、その指示に基づいて、プロジェクター３００と音響装置４００にデジタルストリームデータを送信する。
【００２５】
コンテンツ送信装置２００は、コンピュータから構成され、論理演算を実行するＣＰＵやプログラムやデータを記憶するＲＯＭ、一時的なデータの良き下記を行うＲＡＭおよびプログラムと協働して、コンテンツ送信制御部２０６の機能、即ちユーザー指示に基づいたデータ送信機能を達成する。この場合、コンテンツ送信装置２００からのデータ送信はプロジェクター３００と音響装置４００の両装置に対して行うこととしているが、プロジェクター３００と音響装置４００の側でデジタルストリームデータの入力先、例えばコンテンツ送信装置２００やデジタル放送受信装置４５０、或いはＤＶＤプレーヤ４６０の一つを指定するようにすることもでき、プロジェクター３００と音響装置４００とでは、異なるデジタルストリームデータの入力を受けたりすることもできる。例えば、音響装置４００は、音声のみの再生のためのデジタルストリームデータを入力し、プロジェクター３００は、映像のみの再生のためのデジタルストリームデータを入力する場合などである。このように、プロジェクター３００と音響装置４００とで異なるデジタルストリームデータの入力を受ける場合については後述する。
【００２６】
プロジェクター３００は、上記の画像形成投写部３０２の他、ネットワークドライバ３１０と、データデコーダ３１２と、映像再生器３１４と、アンテナ３１５と、無線送受信器３１６と、制御部３１８と、リモート信号受信器３２０とを備える。データデコーダ３１２は、ネットワークドライバ３１０を介してネットワーク１１０から受信を受けたデジタルストリームデータ（ＭＰＥＧ２データ）に含まれる映像信号をデコードする。映像再生器３１４は、２系統の映像データ経路を備え、データデコーダ３１２からのデコード済み映像データ、或いは後述の無線送受信器３１６から得た映像データで構成される映像画像をフレーム単位で複数記憶可能なバッファ領域を備え、無線送受信器３１６から入力を受けた同期信号に基づいて、バッファ領域のフレーム画像を画像形成投写部３０２に出力する。画像形成投写部３０２は、液晶表示部３０３を備え、当該表示部に映像再生用信号に基づいた画像を表示し、当該画像を図示しない光源装置からの光で投写し、レンズ３０４にて拡大した画像をスクリーンＳに映し出す。
【００２７】
このように、映像再生器３１４への映像データの入力が２系統とされているのは、プロジェクター３００での映像再生を音響装置４００の側での音声再生と無関係に単独で行う場合と、プロジェクター３００での映像再生と音響装置４００での音声再生とを行う場合に備えてのものであり、データデコーダ３１２でのデータデコードは、制御部３１８からの制御を受けて実行される。つまり、プロジェクター３００単独での映像再生を図る場合、例えばプロジェクター３００が映像のみの再生のためのデジタルストリームデータを入力する場合には、制御部３１８の制御を受けてデータデコーダ３１２でのデータデコードを行うことから、ネットワーク１１０を経て入力されたデジタルコンテンツデータに含まれる映像信号データは、データデコーダ３１２と映像再生器３１４の協働により、画像形成投写部３０２での映像再生に適った映像再生処理を経た上で、映像再生用信号に変換されて画像形成投写部３０２に出力され、画像形成投写部３０２にて映像が再生される。その一方、プロジェクター３００での映像再生と音響装置４００での音声再生とを行う場合には、後述するようにデータデコードおよび映像再生処理を受けた映像再生用信号が音響装置４００の側から無線送受信器３１６を経て映像再生器３１４に受け渡されるので、この場合は、その受け取った映像再生用信号（受信映像再生用信号）が画像形成投写部３０２に出力され、画像形成投写部３０２にて映像が再生される。
【００２８】
プロジェクター３００単独での映像再生と、プロジェクター３００では映像再生を音響装置４００では音声再生を行う場合の判定は、制御部３１８がプロジェクター３００の入力デジタルストリームデータにおける映像信号から生成した映像再生用信号と後述するように音響装置４００から送信を受ける映像再生用信号との対比を行うことで下すことができる。また、音響装置４００の側からの受信映像再生用信号での映像再生に際しては、音響装置４００の側からこの受信映像再生用信号と共に当該信号に対応付けられた同期信号も受け取ることから、この同期信号によって画像形成投写部３０２への受信映像再生用信号の出力を経た画像形成投写部３０２での画像（フレーム画像）再生順などが定まる。データデコーダ３１２でのデータデコードを経る場合には、データデコードに際しての同期信号により、デコード済み映像再生用信号による画像（フレーム画像）再生順などが定まる。再生用信号と同期信号の関係は、音響装置４００の側での音声再生用信号に基づく音声再生についても同じである。
【００２９】
プロジェクター３００は、後述するような映像の一時停止、早送り再生や巻き戻し再生等に備えてハードディスク３２１を備え、映像再生器３１４から画像形成投写部３０２に出力する映像再生用信号を一時的にこのハードディスク３２１に記憶する。このハードディスク３２１の記憶内容（映像再生用信号）は、制御部３１８からの制御を受けて映像再生器３１４により読み取られ、一時停止や早送り・巻き戻し再生の際に用いられる。なお、早送り・巻き戻し再生については、映像再生器３１４が有するバッファ容量やハードディスク３２１の記憶容量に応じて早送り再生程度（時間）が制限されるものの、本実施例の映像音声再生システム１００での映像音声再生は、その再生対象がデジタルストリームデータで提供される映像音声であるため、長期に亘る早送り・巻き戻し再生を予定していないことから、特段の支障はなく、ハードディスク３２１の容量を増やすことで対処可能である。一時停止後の再生再開についても同様である。
【００３０】
プロジェクター３００の無線送受信器３１６は、後述の音響装置４００がその有するアンテナ４１６から送信した無線信号を受信し、その受信した信号を復調する。後述するように、音響装置４００は、プロジェクター３００における画像形成投写部３０２での映像再生を図るべく、ネットワーク１１０から受信を受けたデジタルストリームデータ（ＭＰＥＧ２データ）に含まれる映像信号をその同期信号と共にデコードした上でプロジェクター３００に無線送信するので、無線送受信器３１６は、この無線信号から映像再生用信号（受信映像再生用信号）とその同期信号を復調・生成し、これら信号を映像再生器３１４に出力する。そして、映像再生器３１４は、既述したように音響装置４００の側から映像再生用信号（受信映像再生用信号）に含んで得た同期信号に基づいて受信映像再生用信号をフレーム単位で画像形成投写部３０２に出力して映像再生を図る。このようにして行われるプロジェクター３００の側の映像再生と音響装置４００の側の音声再生との同期については、音響装置４００の構成・処理の説明と合わせて後述する。
【００３１】
プロジェクター３００の制御部３１８は、論理演算を実行するＣＰＵやプログラムやデータを記憶するＲＯＭ、一時的なデータの良き下記を行うＲＡＭおよびプログラムと協働して、本願発明の受領信号送信部や再生調整信号送信部、再生調整部・再生調整実行部等の機能を果たす。つまり、制御部３１８は、リモート信号受信器３２０の信号を受け取り、プロジェクター３００のリモートコントローラＶＲの操作を経てユーザーが指示した再生状況に適うよう、上記した各機器を制御する。そして、この制御部３１８は、音響装置４００の側からの無線信号による映像再生用信号（受信映像再生用信号）とその同期信号を受信した旨の受領信号や、ユーザーがリモートコントローラＶＲ操作により指示した再生調整指示に適った再生調整の様子を示す再生調整制御信号を生成し、これら信号を無線送受信器３１６に送信する。無線送受信器３１６は、この信号（受領信号、再生調整制御信号）を無線信号に変調して音響装置４００の側に送信する。無線信号を受け取った音響装置４００の側での処理の様子については、音響装置４００の構成・処理の説明と合わせて後述する。
【００３２】
音響装置４００は、スピーカ４０２に加え、ネットワークドライバ４１０と、データデコーダ４１２と、音声変換・増幅器４１３と、無線送受信器４１４と、アンテナ４１６と、制御部４１８と、リモート信号受信器４２０とを備える。データデコーダ４１２は、ネットワークドライバ４１０を介してネットワーク１１０から受信を受けたデジタルストリームデータ（ＭＰＥＧ２データ）に含まれる音声信号をデコードする。このデコードに際しては、受信を受けたデジタルストリームデータに含まれる同期信号についても、デコードされた音声信号データ（デコード済み音声信号データ）と同種のデータに変換され、音声変換・増幅器４１３は、このデコード済み音声信号データとその同種データの同期信号とをスピーカ４０２での音声再生用にアナログ変換しつつ、デコード音声信号データと同期信号とをアナログ音声信号とした上で増幅し、スピーカ４０２に出力する。つまり、ネットワーク１１０を経て入力されたデジタルコンテンツデータに含まれる音声信号データは、データデコーダ４１２と音声変換・増幅器４１３の協働により、スピーカ４０２での音声再生に適った音声再生処理を経た上で、音声再生用信号に変換されてスピーカ４０２に出力される。これにより、スピーカ４０２は、デコード済み音声信号データに基づく音声を再生するが、その再生については、後述するように制御部４１８による制御を受ける。
【００３３】
音声信号についてのデコードを行う音響装置４００のデータデコーダ４１２は、ネットワークドライバ４１０を介してネットワーク１１０から受信を受けたデジタルストリームデータ（ＭＰＥＧ２データ）に含まれる映像信号とその同期信号についても、デコードする。このデコードに際しては、プロジェクター３００が有する画像形成投写部３０２での映像再生に適った映像再生処理がデータデコーダ４１２にて行われ、デコードされた映像信号データ（デコード済み音声信号データ）は同期信号と共に無線送受信器４１４に送られる。このように無線送受信器４１４に送られるデコード済み映像信号データは、プロジェクター３００が有する画像形成投写部３０２での映像再生用信号となり、無線送受信器４１４にて無線変調された上で、無線送受信器４１４からプロジェクター３００の無線送受信器３１６にそれぞれのアンテナを介して無線送信される。この無線送信を受けた無線送受信器３１６は、既述したように復調した映像再生用信号（受信映像再生用信号）を画像形成投写部３０２に出力するので画像形成投写部３０２での映像再生が行われる。この映像再生と音響装置４００での音声再生との同期については後述する。なお、上記のように音響装置４００の側で行う映像信号のデコードは、プロジェクター３００が有する画像形成投写部３０２での映像再生機器種別を指定或いは選択することで、この画像形成投写部３０２での映像再生に適ったものとできる。
【００３４】
音響装置４００にあっても、プロジェクター３００の側で設定される映像の一時停止、早送り再生や巻き戻し再生等に備えてハードディスク４２１を備え、音声変換・増幅器４１３からスピーカ４０２に出力する音声再生用信号を一時的にこのハードディスク４２１に記憶する。このハードディスク４２１の記憶内容（音声再生用信号）は、制御部４１８からの制御を受けて音声変換・増幅器４１３により読み取られ、映像の一時停止後の再生再開の際に用いられる。この場合にあっても、プロジェクター３００での早送り・巻き戻し再生等について説明したように、ハードディスク４２１の記憶容量に応じて一時停止可能な時間が制限されるものの、既述したように特段の支障はない。
【００３５】
音響装置４００の無線送受信器４１４は、既述したようにプロジェクター３００の画像形成投写部３０２での映像再生用信号（受信映像再生用信号）への無線送信のための無線変調を行うほか、プロジェクター３００が無線送受信器３１６を経て送信した無線信号（既述した受領信号や再生調整制御信号の無線信号）をアンテナ４１６を介して受信し、その受信した信号を復調する。無線送受信器４１４が復調した受領信号や再生調整制御信号は、制御部４１８に出力される。
【００３６】
音響装置４００の制御部４１８は、論理演算を実行するＣＰＵやプログラムやデータを記憶するＲＯＭ、一時的なデータの良き下記を行うＲＡＭおよびプログラムと協働して、本願発明の再生部や再生調整信号送信部、再生調整部・再生調整実行部等の機能を果たす。つまり、制御部４１８は、リモート信号受信器４２０の信号を受け取り、音響装置４００のリモートコントローラＭＲの操作を経てユーザーが指示した再生状況に適うよう、上記した各機器を制御する。そして、この制御部４１８は、プロジェクター３００の側から無線信号にて送信された受領信号による音声再生開始を行ったり、ユーザーがリモートコントローラＭＲ操作により指示した再生調整指示に適った再生調整の様子を示す再生調整制御信号を生成し、これら信号を無線送受信器４１４に送信する。無線送受信器４１４は、この信号（再生調整制御信号）を無線信号に変調してプロジェクター３００の側に送信する。無線信号を受け取ったプロジェクター３００の側での処理の様子については、後述する。
【００３７】
次に、プロジェクター３００の側での映像再生と音響装置４００の側での音声再生の様子について説明する。図２はコンテンツ送信装置２００からネットワーク１１０を経由してデジタルストリームデータの入力がなされた場合の映像再生・音声再生の様子を示す説明図である。
【００３８】
図示するように、コンテンツ送信装置２００から送信されたデジタルストリームデータはネットワーク１１０を経由して音響装置４００に受け渡され、音響装置４００は、その有するデータデコーダ４１２や音声変換・増幅器４１３により、デジタルストリームデータ（ＭＰＥＧ２データ）に含まれる音声信号と映像信号をデコードして、既述したようにスピーカ４０２での音声再生のための音声再生用信号と画像形成投写部３０２での映像再生のための映像再生用信号を生成する。こうして生成された音声再生用信号は、音響装置４００が有する音声変換・増幅器４１３を経てスピーカ４０２に出力されて音声再生に用いられる。しかしながら、この時点では、信号出力の条件が成立していないと制御部４１８にて判定されるので、制御部４１８の制御により、音声変換・増幅器４１３からの音声再生用信号出力（即ち、スピーカ４０２による音声再生）は実行されない。
【００３９】
音響装置４００は、画像形成投写部３０２での映像再生のために生成した映像再生用信号をデジタルストリームデータに含まれる音声・映像の同期信号と共に、無線送受信器４１４にて無線変調してプロジェクター３００に送信する。プロジェクター３００は、この無線信号を無線送受信器３１６にて受信・復調し、復調により得られた画像形成投写部３０２での映像再生のための映像再生用信号とその同期信号を受領した旨の受領信号を制御部３１８にて生成し、その受領信号を無線送受信器３１６にて無線変調した上で、音響装置４００に送信する。
【００４０】
音響装置４００は、プロジェクター３００から受領信号の無線信号を無線送受信器４１４にて受信・復調する。この復調した受領信号は無線送受信器４１４から制御部４１８に送られるので、この受領信号を受け取った制御部４１８は、スピーカ４０２への音声再生用信号の出力条件が成立したとして音声変換・増幅器４１３を制御し、音声変換・増幅器４１３からの音声再生用信号出力の実行、即ち、スピーカ４０２による音声再生をその同期信号に基づいて実行する。この際、プロジェクター３００の側では、受領信号の無線送信の後に、既に音響装置４００の側から入手済みの映像再生用信号をその同期信号に基づいて再生する。こうしたプロジェクター３００での映像再生と音響装置４００での音声再生とにおいて、プロジェクター３００での映像再生には音響装置４００での映像再生用信号の生成・無線変調送信およびプロジェクター３００での映像再生用信号への信号復号を要するものの、この復調に要する時間は、デジタルストリームデータのデコード処理時間に比して格段に短くて済み、その時間は数μｓに過ぎないので、プロジェクター３００での映像再生は、受領信号の受領後に音響装置４００が行う音声再生と同期して行われると云える。よって、プロジェクター３００の映像を見つつ音響装置４００の音声を聞く看者（ユーザー）にとっては、映像再生と音声再生が明らかにずれているような違和感を与え無いと言え、実質上、問題とならない。
【００４１】
次に、プロジェクター３００の側でユーザーが映像の一時停止・再生再開を行った場合について説明する。図２に示すように、映像・音声の再生途中でユーザーがリモートコントローラＶＲを操作して映像再生の一時停止を指示すると、プロジェクター３００の制御部３１８は、その信号をリモート信号受信器３２０で受信して、再生一時停止の旨の調整制御信号を生成する。この調整制御信号（再生一時停止信号）は無線送受信器３１６にて無線変調された上で、音響装置４００に送信される。
【００４２】
音響装置４００は、プロジェクター３００から調整制御信号（再生一時停止信号）の無線信号を無線送受信器４１４にて受信・復調する。この復調した調整制御信号（再生一時停止信号）は無線送受信器４１４から制御部４１８に送られるので、この調整制御信号（再生一時停止信号）を受け取った制御部４１８は、スピーカ４０２による音声再生を調整制御信号（再生一時停止信号）に適った再生調整、この場合は一時停止となるように音声変換・増幅器４１３を制御して、スピーカ４０２による音声再生を一時停止する。プロジェクター３００の側では、リモートコントローラＶＲからのユーザーによる映像再生の一時停止の指示に基づいて、制御部３１８が映像再生器３１４を制御して、画像形成投写部３０２による映像再生を一時停止する。
【００４３】
こうしたプロジェクター３００での映像再生一時停止と音響装置４００での音声再生一時停止とにおいて、ユーザーのリモコン操作を経た後に、音響装置４００での音声再生一時停止にはプロジェクター３００での調整制御信号（再生一時停止信号）の生成・無線変調送信および音響装置４００での調整制御信号（再生一時停止信号）への信号復号を要する。しかしながら、その時間は数μｓに過ぎないので、プロジェクター３００の映像を見つつ音響装置４００の音声を聞く看者（ユーザー）にとっては、映像の一時停止と音声の一時停止が明らかにずれているような違和感を与え無いと言え、実質上、問題とならない。なお、上記した再生の一時停止については、音響装置４００の側で、そのリモートコントローラＭＲを経てユーザーが音声の一時停止を指示した場合も同様であり、この場合は、プロジェクター３００が音響装置４００の側から受信した調整制御信号（再生一時停止信号）に基づき映像再生の一時停止を行う。また、ユーザーが映像・音声の停止をリモコン操作により指示した場合も同様である。
【００４４】
映像・音声の一時停止後にユーザーがプロジェクター３００のリモートコントローラＶＲから再生再開指示を出した場合は、プロジェクター３００の制御部３１８は、その信号をリモート信号受信器３２０で受信して、再生再開の旨の調整制御信号を生成し、この調整制御信号（再生再開信号）を無線送受信器３１６を経て音響装置４００に無線送信する。この信号をプロジェクター３００の側から受けた音響装置４００は、制御部４１８にて、復調済み調整制御信号（再生再開信号）に適うよう音声変換・増幅器４１３を制御して、スピーカ４０２による音声再生を再開する。プロジェクター３００の側では、リモートコントローラＶＲからのユーザーによる映像再生の再開指示に基づいて、制御部３１８が映像再生器３１４を制御して、画像形成投写部３０２による映像再生を再開する。
【００４５】
こうしたプロジェクター３００での映像再生再開と音響装置４００での音声再生再開にあっても、上記した一時停止と同様、音響装置４００での音声再生再開にはプロジェクター３００での調整制御信号（再生再開信号）の無線変調送信および音響装置４００での調整制御信号（再生再開信号）への信号復号を要するものの、既述したようにユーザーに映像再開と音声再開が明らかにずれているような違和感を与え無いと言え、実質上、問題とならない。なお、この再生再開についても、音響装置４００の側で、そのリモートコントローラＭＲを経てユーザーが指示した場合も同様である。
【００４６】
また、映像・音声の再生途中でユーザーがリモートコントローラＶＲを操作して映像再生の早送り再生や巻き戻し再生を指示した場合については、その実行範囲（実行時間）について映像再生器３１４のバッファやハードディスク３２１等の記憶容量の影響を受けるものの、その信号生成・無線送信等については、上記説明した一時停止の場合と同様である。
【００４７】
しかしながら、映像再生と音声再生の同期に関与しない再生調整、例えば、音響装置４００の側での音声の消音操作や音量調整がなされた場合は、音響装置４００の側でのみその消音操作や音量調整に適った再生調整（音声再生停止や音量の増減設定）が制御部４１８により実行される。この場合は、音響装置４００の側からはプロジェクター３００に再生調整に関与する信号が送信されないので、音響装置４００の側で音声消音や音量調整がなされている間においても、プロジェクター３００の側では映像再生が継続されることになる。
【００４８】
以上説明したように、本実施例の映像音声再生システム１００では、ネットワーク１１０に個別に接続したプロジェクター３００と音響装置４００とを備えた上で、前者では映像再生を後者では音声再生を別個で行うに当たり、音響装置４００からプロジェクター３００に無線送信した映像再生用信号とその同期信号をプロジェクター３００が受領したことを条件に、音響装置４００での音声再生とプロジェクター３００での映像再生とを共通の同期信号に基づいて実行される。よって、ネットワーク１１０に接続された音響装置４００とプロジェクター３００とで音声再生と映像再生とを個別に行うものの、個別装置による映像再生と音声再生とを高い信頼性で同期させつつ実行できる。このため、画像形成投写部３０２が投写したスクリーンＳの映像を見つつ、このスクリーンＳやプロジェクター３００から離れた場所のスピーカ４０２から音声を聞く看者に、音声再生と映像再生のズレに基づく違和感を軽減できる。そして、このような音声再生と映像再生の同期は、別々の機器として独立していている音響装置４００とプロジェクター３００およびコンテンツ送信装置２００を個別にネットワーク１１０に接続した上で、コンテンツ送信装置２００からデジタルストリームデータをネットワーク１１０を介して送信するだけで達成でき、簡便である。
【００４９】
また、本実施例では、プロジェクター３００の側、或いは音響装置４００の側でユーザーが再生の一時停止等の映像・音声の同期再生に関与する操作をリモートコントローラにて行うと、そのリモートコントローラからの信号を受ける側（例えば、プロジェクター３００）で、リモコン操作に適った再生調整を行うと共に、音声再生を行っている音響装置４００にはその再生調整に適った制御信号を送信して、音響装置４００の側でも生成調整を行うようにした。従って、ネットワーク１１０に接続された個別の音響装置４００とプロジェクター３００とを、あたかも一台の映像・再生装置として取り扱うことができ、ユーザーフレンドリーとなる。
【００５０】
また、本実施例では、音響装置４００の側でプロジェクター３００での再生のための映像再生用信号を生成し、プロジェクター３００では、音響装置４００からの映像再生用信号を無線復調して画像形成投写部３０２での映像再生に用いることができる。よって、プロジェクター３００での映像再生用信号に基づいた映像再生を速やかに行うことができる。
【００５１】
ネットワーク１１０に個別に接続したプロジェクター３００と音響装置４００での映像・音声の同期再生は、コンテンツ送信装置２００からのデジタルストリームデータ送信の場合に限らず、ＤＶＤプレーヤ４６０やデジタル放送受信装置４５０がコンテンツ送信装置２００に代わるデジタルストリームデータの送信元である場合の他、少なくとも音響装置４００がデジタルストリームデータの送信元としてコンテンツ送信装置２００を選択している場合、ＤＶＤプレーヤ４６０を送信元としてコンテンツ送信装置２００を選択している場合、デジタル放送受信装置４５０を送信元としてコンテンツ送信装置２００を選択している場合も同様に実行される。プロジェクター３００と音響装置４００とが異なるデジタルストリームデータの入力を受けている場合については後述する。なお、デジタル放送受信装置４５０をデジタルストリームデータの送信元としている場合には、プロジェクター３００や音響装置４００では、それぞれが有するデータデコーダを、デジタル放送受信装置４５０が送信するデジタルストリームデータに含まれるデジタル符号化規格にあったデジタル音声信号・映像信号のデコーダができるよう、構成すればよい。
【００５２】
上記した実施例の映像音声再生システム１００では、プロジェクター３００と音響装置４００とがそれぞれネットワーク１１０を介して個別にデジタルストリームデータの入力が可能である都合上、映像再生と音声再生とが個別データにより行われる場合がある。例えば、プロジェクター３００は映像信号のみを含むデジタルストリームデータを入力してプロジェクター単独での映像再生を行い、音響装置４００は音声信号のみを含むデジタルストリームデータを入力する、若しくはプロジェクター３００と異なるデジタルストリームデータを入力して、プロジェクター３００での映像とは無関係な音声をバックグランドミュージックとして再生する場合などがある。このようにプロジェクター３００単独での映像再生への対処は、次のように行うことができる。
【００５３】
プロジェクター３００の制御部３１８は、プロジェクター３００の入力したデジタルストリームデータにおける映像信号から生成した映像再生用信号と音響装置４００から無線送信を受ける映像再生用信号とを対比する。この対比結果により、プロジェクター３００と音響装置４００では別個のデジタルストリームデータの入力が行われてそれぞれの装置単独での映像再生または音声再生が行われていると判断できる。よって、この場合には、プロジェクター３００では、制御部３１８の制御に基づいて、データデコーダ３１２での映像信号でコードを経て生成した映像再生用信号を映像再生器３１４から画像形成投写部３０２に出力して、映像再生を音響装置４００での音声再生とは別個に行う。一方、音響装置４００にあっては、データデコーダ４１２等により上記のように生成した音声再生用信号をスピーカ４０２に出力して、音声再生をプロジェクター３００での映像再生とは別個に行う。この場合、音響装置４００では、プロジェクター３００の側からの上記対比結果を無線信号にて受け取るようにし、映像再生と音声再生を個別に行う場合には、データデコーダ４１２等による映像信号のデコード、映像再生用信号の生成・送信を行わないようにすることもできる。
【００５４】
次に、変形例について説明する。この変形例は、プロジェクター３００が映像再生に加え音声再生をも実行できる映像・音声再生機能を備える点に特徴がある。図３は変形例の映像音声再生システム１００の構成を概略的に示すブロック図である。図示するように、変形例の映像音声再生システム１００では、プロジェクター３００は、内蔵スピーカ３３０を備え、当該スピーカでの音声再生をも行えるよう、音声変調器３３２と音声遅延器３３４とを備える。この変形例では、データデコーダ３１２は、ネットワークドライバ３１０を介してネットワーク１１０から受信を受けたデジタルストリームデータ（ＭＰＥＧ２データ）に含まれる映像信号のデコードに加え、当該デジタルストリームデータに含まれる音声信号についてもデコードを行う。そして、映像再生器３１４は、デコード済み音声信号データをデジタルストリームデータに含まれる同期信号と共に内蔵スピーカ３３０での音声再生に適合した音声再生用信号とした上で音声遅延器３３４に出力する。音声遅延器３３４は、同期信号に合致した遅延時間を決定し、その遅延時間だけ遅延してデコード済み音声信号データを音声変調器３３２に出力し、音声変調器３３２はデコード済み音声信号データをアナログ変調して内蔵スピーカ３３０から音声再生を行う。
【００５５】
プロジェクター３００は、その有する制御部３１８にて、プロジェクター３００が有する内蔵スピーカ３３０からの音声再生と音響装置４００が有するスピーカ４０２での音声再生との優先順位を決定する。例えば、ユーザーによるプロジェクター３００のリモートコントローラＶＲ操作にて、プロジェクター３００での音声再生の消音や停止が指示されているときや、図示しない音声再生選択スイッチでの音響装置４００の側の音声再生指示があるときは、ユーザーは、音響装置４００が有するスピーカ４０２での音声再生を所望していることになり、スピーカ４０２での音声再生が優先となる。よって、こうした場合には、制御部３１８は、その旨の信号をデータデコーダ３１２や映像再生器３１４および無線送受信器３１６に出力する。
【００５６】
以下、プロジェクター３００における制御部３１８での音声再生の優先順位決定に応じて説明する。制御部３１８が既述したように音響装置４００のスピーカ４０２での音声再生を優先させる場合は、その旨の信号を制御部３１８から受けたデータデコーダ３１２と映像再生器３１４および無線送受信器３１６は、既述した実施例と同一に動作する。つまり、この場合は、音響装置４００の音声再生が優先されることから、この再生音声との同期を取った映像再生を図るべく、音響装置４００の側で既述したように生成・送信した映像再生用信号を用いた画像形成投写部３０２での映像再生を行う。よって、この場合には、映像再生器３１４やデータデコーダ３１２は、制御部３１８からの制御を受けて、音声信号・映像信号のデコードや再生用信号化、或いは画像形成投写部３０２や内蔵スピーカ３３０への再生用信号送信は行わず、映像再生器３１４は、音響装置４００が生成・送信した映像再生用信号を無線送受信器３１６を経て受け取り、当該映像再生用信号の画像形成投写部３０２への送信により画像形成投写部３０２での映像再生を行う。この場合の画像形成投写部３０２での映像再生は、既述したように音響装置４００のスピーカ４０２による音声再生と同期して行われることになる。
【００５７】
一方、制御部３１８がプロジェクター３００の備える内蔵スピーカ３３０での音声再生を優先させる場合は、制御部３１８の制御を受けて、データデコーダ３１２と映像再生器３１４は、デジタルストリームデータに含まれる音声信号と映像信号のそれぞれのデコードと音声・映像再生用信号の生成を行いつつ、音声遅延器３３４への同期信号を含む音声再生用信号を出力し、画像形成投写部３０２へは同期信号を含む映像再生用信号を出力する。また、無線送受信器３１６は、制御部３１８の制御を受けて、音響装置４００の側からの無線信号受信・その復調を停止し、映像再生器３１４への音響装置４００の側からの映像再生用信号の出力を停止する。そうすると、映像再生器３１４への無線送受信器３１６からの映像再生用信号入力がないことから、データデコーダ３１２と映像再生器３１４でデータのデコード・映像再生用信号化を経た映像再生用信号は、映像再生器３１４を経て画像形成投写部３０２の液晶表示部３０３に順次出力されて、この画像形成投写部３０２にて映像再生を図る。音声変調器３３２は、音声遅延器３３４が決定した遅延時間の遅延を持っての信号出力により、内蔵スピーカ３３０から音声を画像形成投写部３０２の映像再生に同期させて再生する。
【００５８】
従って、図３で説明した変形例によれば、プロジェクター３００と音響装置４００とで別々に映像再生・音声再生を図っている場合の同期を取ることができることに加え、プロジェクター３００だけを用いて画像形成投写部３０２での映像再生と内蔵スピーカ３３０での音声再生を同期を取って実行できるので、単体のプロジェクター３００としての製品価値が高まる。
【００５９】
また、この変形例は、更に次のような態様で実現することもできる。音声再生の優先が音響装置４００のスピーカ４０２での音声とされている場合において、プロジェクター３００の制御部３１８による既述したような映像再生用信号の対比結果から、音響装置４００では、プロジェクター３００での映像の元となるデジタルストリームデータとは異なるデータに基づいた音声再生を実行していると判別できる。こうした場合は、音響装置４００のスピーカ４０２での音声再生優先であっても、データデコーダ３１２から音声遅延器３３４へのデコード済み音声信号出力、データデコーダ３１２から映像再生器３１４へのデコード済み映像信号出力を行うことで、プロジェクター３００だけを用いて画像形成投写部３０２での映像再生と内蔵スピーカ３３０での音声再生を同期を取って実行できる。
【００６０】
また、プロジェクター３００の制御部３１８による既述したような映像再生用信号の対比結果から、プロジェクター３００と音響装置４００とは同一のデジタルストリームデータに基づいてそれぞれが映像再生と音声再生を行っていると判定された場合には、音響装置４００のスピーカ４０２による音声再生を優先させるようにすることができる。そして、上記の両映像再生用信号が不一致の場合には、例えば、ユーザーは映像とは無関係の音声を音響装置４００のスピーカ４０２から聞きながら、プロジェクター３００にては、同期の取れた映像再生と音声再生を欲していると云える。この場合には、プロジェクター３００と音響装置４００で異なるデジタルストリームデータに基づいた音声再生を実行していることから、音響装置４００の側ではその入力を受けたデジタルストリームデータに基づいた音声再生を図りつつ、プロジェクター３００の側では、その入力を受けたデジタルストリームデータに基づいた映像再生と音声再生を同期を取りつつ実行できる。こうすれば、映像とは無関係の音声を音響装置４００のスピーカ４０２から聞きながら、プロジェクター３００では同期の取れた映像再生と音声再生を楽しみたいというユーザーの要求に対処でき、製品価値が高まる。
【００６１】
なお、本発明は上記した実施例や変形例の実施形態に限られるものではなく、その要旨を逸脱しない範囲において種々の態様にて実施することが可能である。例えば、音響装置４００の側で生成・送信した映像再生用信号をプロジェクター３００の側で取得するに当たり、上記実施例では、音響装置４００の無線送受信器４１４とプロジェクター３００の無線送受信器３１６による無線送信を用いたが、次のように構成することもできる。つまり、音響装置４００とプロジェクター３００は、例えばレーザー光を用いたデータ送信規格に従った信号の変調と複合並びにレーザー光照射・受光を行う送受信機器を備えるようにし、音響装置４００がプロジェクター３００の画像形成投写部３０２での映像再生のために生成した映像再生用信号をプロジェクター３００で取得するようにすることもできる。レーザー光を用いれば、情報伝播の帯域が広がるので、ハイビジョン映像といった高画質映像についても、既述したように音声との同期を取りつつ、映像劣化を起こさないように再生できる。
【００６２】
また、映像再生装置の一例としてプロジェクタを用い、その画像形成投写部３０２を液晶表示部３０３を有するものとしたが、この液晶表示部に代えてＤＭＤ（Digital Micromirror Device；ＤＭＤは米国テキサスインスツルツメンツ社商標）を有するものとできる。また、プロジェクターに限らず、液晶ディスプレイやプラズマディスプレイ等、種々の映像再生装置を適用できる。ネットワーク１１０にあっては、有線・無線を問わず適用できる。更に、音響装置４００の側でプロジェクター３００の画像形成投写部３０２での映像再生に用いる信号を生成・送信するようにしたが、この逆に、プロジェクター３００の側で音響装置４００のスピーカ４０２での音声再生に用いる信号を生成・送信するようにすることもできる。
【図面の簡単な説明】
【００６３】
【図１】本発明の実施例としての映像音声再生システム１００の構成を概略的に示すブロック図である。
【図２】コンテンツ送信装置２００からネットワーク１１０を経由してデジタルストリームデータの入力がなされた場合の映像再生・音声再生の様子を示す説明図である。
【図３】変形例の映像音声再生システム１００の構成を概略的に示すブロック図である。
【符号の説明】
【００６４】
１００...映像音声再生システム
１１０...ネットワーク
２００...コンテンツ送信装置
２０２...ハードディスク（内蔵）
２０４...ハードディスク（外付け）
２０６...コンテンツ送信制御部
２０８...ネットワークドライバ
３００...プロジェクター
３０２...画像形成投写部
３０３...液晶表示部
３０４...レンズ
３１０...ネットワークドライバ
３１２...データデコーダ
３１４...映像再生器
３１５...アンテナ
３１６...無線送受信器
３１８...制御部
３２０...リモート信号受信器
３２１...ハードディスク
３３０...内蔵スピーカ
３３２...音声変調器
３３４...音声遅延器
４００...音響装置
４０２...スピーカ
４１０...ネットワークドライバ
４１２...データデコーダ
４１３...音声変換・増幅器
４１４...無線送受信器
４１６...アンテナ
４１８...制御部
４２０...リモート信号受信器
４２１...ハードディスク
４５０...デジタル放送受信装置
４６０...ＤＶＤプレーヤ
４７０...ＣＤプレーヤ
ＭＲ...リモートコントローラ
ＶＲ...リモートコントローラ
Ｓ...スクリーン
【図１】
2008136027.tif 000003
【図２】
2008136027.tif 000004
【図３】
2008136027.tif 000005